(57)【要約】【課題】  真空破壊能力が大きく速やかに真空破壊できる排気弁を提供する。【解決手段】  下本体１と上本体２から成るケーシングで下部に流入口４が開口し上部に流出口５が開口した弁室３を形成する。弁室３と流出口５の間に弁室３と流出口５を連通する大径の吸気弁座６を形成する。吸気弁座６の流入口４側に吸気弁座６を開閉する吸気弁体７を配置する。吸気弁体７を吸気弁座６に付勢するばね９を設ける。吸気弁座６よりも小径で弁室３と流出口５を連通する排気弁座１４を吸気弁体７に形成する。排気弁座１４の流入口４側に排気弁座１４を開閉する排気弁体１６を配置する。排気弁座１４よりも小径で弁室３と排気弁座１４を連通する小径排気弁座１７を排気弁体１６に形成する。小径排気弁座１７の流入口４側に小径排気弁座１７を開閉するフロート１５を配置する。【選択図】      図１
2010117023.tif 000002
【特許請求の範囲】
【請求項１】
ケーシングで下部に流入口が開口し上部に流出口が開口した弁室を形成し、弁室と流出口の間に弁室と流出口を連通する大径の吸気弁座を形成し、吸気弁座の流入口側に吸気弁座を開閉する吸気弁体を配置し、吸気弁体を吸気弁座に付勢するばねを設け、吸気弁座よりも小径で弁室と流出口を連通する排気弁座を吸気弁体に形成し、排気弁座の流入口側に排気弁座を開閉する排気弁体を配置し、排気弁座よりも小径で弁室と排気弁座を連通する小径排気弁座を排気弁体に形成し、小径排気弁座の流入口側に小径排気弁座を開閉するフロートを配置し、弁室内壁に内側に突出したリブを形成し、リブの内側で排気弁体とフロートの周囲に有底のほぼ円筒形状で底部に内外を連通する通孔を設けたフロート受けを配したことを特徴とする排気弁。
【発明の詳細な説明】
【技術分野】
【０００１】
本発明は、配管に水を送り込むときに開弁して配管内の空気を排気し、通水始めの排気が終われば閉弁し、また配管系の圧力が低下して真空状態となったときに開弁して外部空気を吸気することにより真空状態を破壊する排気弁に関する。
【背景技術】
【０００２】
従来の排気弁は、ケーシングで下部に流入口が開口し上部に流出口が開口した弁室を形成し、弁室と流出口の間に弁室と流出口を連通する小径の吸排気弁座を形成し、吸排気弁座の流入口側に吸排気弁座を開閉するフロートを自由状態で配置し、弁室内壁に内側に突出したリブを形成し、リブの内側でフロートの周囲に有底のほぼ円筒形状で底部に内外を連通する通孔を設けたフロート受けを配したものである。この排気弁は、先ず配管に水を送り込むときにはフロートが吸排気弁座から離座して降下した開弁状態であり、流入口から弁室内に流入してくる配管内の空気をリブの間の空間からフロート受け上端を通して、及び通孔からフロート受け内周とフロート外周との間を通して吸排気弁座から流出口に排気する。そして通水始めの排気が終わって配管内の水が流入口から弁室内に流入してくると、リブの間の空間からフロート受け上端を通して、及び通孔を通してフロート受け内に流入する水によってフロートが浮上して吸排気弁座に着座し閉弁する。また配管系の圧力が低下して真空状態となったときにはフロートが吸排気弁座から離座して降下し、流出口から吸排気弁座を通して弁室内に流入してくる外部空気をフロート受け内から通孔を通して、及びフロート受け上端からリブの間の空間を通して流入口から配管内に導入することにより真空状態を破壊する。
【０００３】
上記従来の排気弁は、吸排気弁座を大径に形成できないために、真空破壊能力が小さく真空破壊に時間がかかると言う問題点があった。これは、真空破壊能力を大きくするために吸排気弁座を大径に形成すると、排気途中でフロートが空気流により吹き上げられて吸排気弁座に着座し閉弁してしまうためである。
【特許文献１】実公昭５３−１６２２号公報
【発明の開示】
【発明が解決しようとする課題】
【０００４】
従って本発明の技術的課題は、真空破壊能力が大きく速やかに真空破壊できる排気弁を提供することである。
【課題を解決するための手段】
【０００５】
上記の技術的課題を解決するために講じた本発明の技術的手段は、ケーシングで下部に流入口が開口し上部に流出口が開口した弁室を形成し、弁室と流出口の間に弁室と流出口を連通する大径の吸気弁座を形成し、吸気弁座の流入口側に吸気弁座を開閉する吸気弁体を配置し、吸気弁体を吸気弁座に付勢するばねを設け、吸気弁座よりも小径で弁室と流出口を連通する排気弁座を吸気弁体に形成し、排気弁座の流入口側に排気弁座を開閉する排気弁体を配置し、排気弁座よりも小径で弁室と排気弁座を連通する小径排気弁座を排気弁体に形成し、小径排気弁座の流入口側に小径排気弁座を開閉するフロートを配置し、弁室内壁に内側に突出したリブを形成し、リブの内側で排気弁体とフロートの周囲に有底のほぼ円筒形状で底部に内外を連通する通孔を設けたフロート受けを配したことを特徴とするものである。
【発明の効果】
【０００６】
本発明は、排気弁座とは別に排気弁座よりも大径の吸気弁座を形成することにより、真空破壊能力が大きく速やかに真空破壊できるという優れた効果を生じる。また、排気弁座とは別に排気弁座よりも小径の小径排気弁座を形成することにより、通水始めの排気が終わった後に弁室内に空気が流入してくる都度、フロートが小径排気弁座から離座して開弁し、流入口から弁室内に流入してくる配管内の空気を小径排気弁座から排気弁座を通して流出口に排気できるという優れた効果を生じる。
【発明を実施するための最良の形態】
【０００７】
本発明は、弁室と流出口を連通する大径の吸気弁座をばねで吸気弁座に付勢した吸気弁体で開閉し、吸気弁座よりも小径で弁室と流出口を連通する排気弁座を排気弁体で開閉し、排気弁座よりも小径で弁室と排気弁座を連通する小径排気弁座をフロートで開閉するものである。そのため、吸気弁座を大径に形成して真空破壊能力を大きくすることができ、速やかに真空破壊できる。
【実施例１】
【０００８】
上記の技術的手段の具体例を示す実施例を説明する（図１参照）。下本体１に上本体２を締結して内部に弁室３を有するケーシングを形成する。下本体１の下部に流入口４を形成し、上本体２の上部に流出口５を形成する。上本体２の弁室３と流出口５の間に弁室３と流出口５を連通する大径の環状の吸気弁座６を形成する。吸気弁座６は上本体２に一体に形成する。吸気弁座６の流入口４側に吸気弁座６を開閉するディスク状の吸気弁体７を配置する。上本体２は弁室３の内壁に内側に突出した複数のリブ８を一体に有し、その内端面で吸気弁体７を上下に案内する。吸気弁体７を吸気弁座６に付勢するコイル状のばね９を吸気弁体７と下記のリブ１０の間に設ける。
【０００９】
下本体１は弁室３の内壁に内側に突出した複数のリブ１０を一体に有し、リブ１０の内側に有底のほぼ円筒形状のフロート受け１１を配置し、スナップリング１２で固定する。フロート受け１１はその底部に内外を連通する通孔１３を有する。吸気弁座６よりも小径で弁室３と流出口５を連通する排気弁座１４を吸気弁体７の中央に形成する。排気弁座１４の流入口４側のフロート受け１１内に排気弁座１４を開閉するキャップ状の排気弁体１６を配置する。排気弁体１６は外径がフロート受け１１の内径よりも僅かに小さく、外周縁がフロート受け１１の内周面を摺接する。排気弁座１４よりも小径で弁室３と排気弁座１４を連通する小径排気弁座１７を排気弁体１６の中央に形成する。小径排気弁座１７の流入口４側のフロート受け１１内に小径排気弁座１７を開閉するフロート１５を自由状態で配置する。
【００１０】
上記実施例の排気弁の動作は下記の通りである。先ず配管に水を送り込むときには、吸気弁体７はばね９の付勢力により吸気弁座６に着座して閉弁している。また、フロート１５は降下してフロート受け１１の底壁に載り、排気弁体１６が排気弁座１４から離座した開弁状態である。これにより、流入口４から弁室３内に流入してくる配管内の空気をリブ１０の間の空間からフロート受け１１上端を通して、及び通孔１３からフロート受け１１内周とフロート１５外周との間を介してフロート受け１１内周と排気弁体１６外周との間を通して吸気弁座６から流出口５に排気する。
【００１１】
そして通気始めの排気が終わって配管内の水が流入口４から弁室３内に流入してくると、フロート１５はリブ１０の間の空間からフロート受け１１上端を通して及び通孔１３を通してフロート受け１１内に流入する水によって排気弁体１６の小径排気弁座１７を閉弁した状態で浮上し、排気弁体１６が排気弁座１４に着座し閉弁する。これにより、水の漏出を防止する。その後、弁室３内に空気が流入してくる都度、フロート１５が小径排気弁座１７から離座して降下し、流入口４から弁室３内に流入してくる配管内の空気を通孔１３からフロート受け１１内周とフロート１５外周との間から小径排気弁座１７を通して排気弁座１４から流出口５に排気する。また、配管系の圧力が低下して真空状態となったときには、吸気弁体７がばね９の付勢力に抗して吸気弁座６から離座して開弁する。またフロート１５が降下してフロート受け１１の底壁に載り、排気弁体１６が排気弁座１４から離座して開弁する。これにより、流出口５から吸気弁座６を介してリブ８の間の空間を通して、及び排気弁座１４を通して弁室３内に流入してくる外部空気をリブ１０の間の空間を通して、及びフロート受け１１内周と排気弁体１６外周との間を介してフロート受け１１内周とフロート１５外周との間から通孔１３を通して流入口４から配管内に吸気することにより真空状態を破壊する。
【図面の簡単な説明】
【００１２】
【図１】本発明の実施例の排気弁の断面図。
【符号の説明】
【００１３】
１  下本体
２  上本体
３  弁室
４  流入口
５  流出口
６  吸気弁座
７  吸気弁体
９  ばね
１０  リブ
１１  フロート受け
１３  通孔
１４  排気弁座
１５  フロート
１６  排気弁体
１７  小径排気弁座
【図１】
2010117023.tif 000003